(57)【要約】【課題】  暗所で使用しても、手元作業が行える程度の光を得ることができ、かつ、その光が、これを必要としない他人にわかりにくくできる照明装置、及び、照明制御ユニットを供給することにある。【解決手段】  主光源とこの主光源を制御する制御回路７ａとを有した照明器具１１と、制御回路７ａに信号を送信するリモコン１１と、を備えた照明装置において、リモコン１１に暗所にて手元を照明できる光出力を有した補助光源４を設けたことを特徴とする。【選択図】図２
2005063742.tif 000002
【特許請求の範囲】
【請求項１】
主光源とこの主光源を制御する制御回路とを有した照明器具と、前記制御回路に信号を送信するリモコンと、を備えた照明装置において、前記リモコンに暗所にて手元を照明できる光出力を有した補助光源を設けたことを特徴とする照明装置。
【請求項２】
前記補助光源は、主光源が消灯している場合のみ点灯するものであることを特徴とする請求項１記載の照明装置。
【請求項３】
前記リモコンと前記照明器具とはケーブルで接続され、このケーブルを通じて、前記リモコンは前記制御回路に信号を伝達させるとともに前記補助光源は自身を発光させる電源の供給を受けるものであることを特徴とする請求項１記載の照明装置。
【請求項４】
前記主光源は、光出力を可変できるものであり、前記補助光源は、前記主光源が可変できる最低の光出力よりもさらに小さい光出力で点灯するものであることを特徴とする請求項１記載の照明装置。
【請求項５】
主光源を制御する制御回路と、この制御回路に信号を送信するリモコンと、を備えた照明制御ユニットにおいて、前記リモコンに手元を照明できる補助光源を設けたことを特徴とする照明制御ユニット。
【発明の詳細な説明】
【技術分野】
【０００１】
本発明は、病院のベッドやその近傍に設置される補光用の照明装置、及び、照明制御ユニットに関するものである。
【背景技術】
【０００２】
この種の照明装置としては、図７に示されるものがある。この照明装置は、主光源を収納した灯具部５と、アーム部６と、本体部７と、本体部７に収納された制御回路と、角度調節部８と、を有した照明器具１０と、リモコン１１と、を備えて構成されている。
ここで、制御回路は、主光源を制御するものであり、リモコン１１は、制御回路に信号を送信するものである。リモコン１１には、スイッチが設けられており、使用者がスイッチを操作することで、主光源がＯＮ／ＯＦＦしたり、主光源の明るさが変わったりするようになっている。
このものは、病院などのベッドやその近傍に補光用の照明として設置され、日中、又は、夕方から消灯までの間に不足する光を、入院している患者が好みに応じて補うことができるものとなっている。
【０００３】
しかしながら、この照明装置は、病室が消灯されたあと、例えば、患者がトイレに行くためなどに点灯されると、明るすぎて他の患者の睡眠を妨げることがあった。さらにこれを点灯させるためにリモコン１１を暗所で捜さなければならないこともあり、これにより発生する物音で他の患者の睡眠を妨げることもあった。また、患者の看護・治療にあたる医療従事者が夜間に患者の様子を伺うためにこの照明装置を点灯させることがあるが、同様に明るすぎたりリモコンを捜すための物音が発生したりすることにより、他の患者の睡眠を妨げることがあった。
なお、主光源の光出力を数％程度まで落とせるものもあり、このようにすれば明るすぎて他の患者の睡眠を妨げることは少なくなる。しかし、医療従事者が例えば点滴の状態を確認したいときなどに使用するには、所望の明るさを得にくいものとなっていた。
【０００４】
一方、リモコンの所在をわかりやすくするものとして、登録実用新案第３０３２９７８号公報に開示されたものがある。このものは、リモコンの受光部が無線などの所定の信号を受けると光を発生する光信号発生部をリモコンに設けたものである。このものは、別の場所に備えられた無線などを発生させる無線装置を操作することにより、リモコンの受信部が電波を受けて、光信号発生部が光を発生する。使用者は、この光を見てリモコンの所在を知ることができる。しかしながら、このものでは無線装置を操作する必要があった。
【特許文献１】登録実用新案第３０３２９７８号公報
【発明の開示】
【発明が解決しようとする課題】
【０００５】
本発明は、上記背景技術に鑑みてなしたもので、その課題は、暗所で使用しても、手元作業が行える程度の光を得ることができ、かつ、その光が、これを必要としない他人にわかりにくくできる照明装置、及び、照明制御ユニットを供給することにある。
【課題を解決するための手段】
【０００６】
本発明の照明装置は、主光源とこの主光源を制御する制御回路とを有した照明器具と、前記制御回路に信号を送信するリモコンと、を備えた照明装置において、前記リモコンに暗所にて手元を照明できる光出力を有した補助光源を設けたことを特徴とする。
【発明の効果】
【０００７】
本発明の照明装置においては、リモコンに暗所にて使用者の手元を照明できる光出力を有した補助光源を設けたので、使用者はリモコンの位置を適宜移動させることにより、暗所でも手元が明るくできるものとなる。そして、この光は、手元を照明できる程度のものであるので、これを必要としない他人にわかりにくくできるものとなる。
【発明を実施するための最良の形態】
【０００８】
図１〜３は、本願の請求項１、２、４に対応した一実施形態である照明装置を示している。なお、図１は照明装置のブロック構成図で図中に記載した出力とは、主光源に接続される端子を示している。
この実施形態の照明装置は、図３に示すように、主光源を収納した灯具部５とアーム部６と本体部７と本体部７に収納された制御回路７ａと角度調節部８と取付部９とを有した照明器具１０と、リモコン１１と、を備えて構成されている。
主光源は、消費電力が６０Ｗ程度の白熱電球である。灯具部５は、主光源から放出された光を所定の方向に放出させることができるようにパラボラ状をなした反射板が収容されている。アーム部６は灯具部５がフレキシブルに可動するような材料が使用されている。本体部７には、主光源の光出力を可変できるよう、電子部品などで構成された制御回路７ａが収納されている。さらに角度調節部８では、本体部７の角度が調整できるようになっており、アーム部６と本体部７とにより灯具部５を所望の位置、あるいは方向にセットできるものとなっている。取付部９は、この照明器具１０をベッドなどに固定された所定の取付台にセットできるものとなっている。また、リモコン１１は、板状をなしたリモコン本体１と、スイッチ２と、送信部３と、を備えている。
【０００９】
ここで重要なことは、リモコン１１に暗所にて手元を照明できる光出力を有した補助光源４を設けたことである。これを詳しく述べると、補助光源４は、ＬＥＤ光源が用いられており、このＬＥＤ光源を板状をなしたリモコン１１の一端側に配設している。ここでＬＥＤ光源は、その照射範囲が主光源よりも狭い範囲となるように構成されている。さらにＬＥＤ光源は、使用者が手元作業を行いやすいように白色の光を放つものが使用されており、その出力は、暗所にて手元を照明するのに適した数ワット程度のものとなっている。
【００１０】
さらに補助光源４のＬＥＤ光源は、主光源が可変できる最低の光出力よりもさらに小さい光出力で点灯するものを使用している。また、２ａは、主光源の制御用のスイッチであり、２ｂは、補助光源の制御用のスイッチであるが、リモコン１１の内部で主光源が消灯している場合のみ補助光源４が点灯するように制御されるものとなっている。
【００１１】
次に、この照明装置の動作を説明する。ここでは、病室において照明装置を使用する場合を説明する。まず、日中、又は、夕方から消灯までの間に不足する光を、入院している患者が好みに応じて補いたい場合は、次のようにすればよい。すなわち２個ある制御スイッチ２ａの一方を操作して主光源を点灯させる。さらに制御スイッチ２ａの他方を操作して所望の明るさに主光源の明るさを調整する。これで設定が完了する。また、病室が消灯されたあと、例えば、患者がトイレに行くためなどに使用したいときは、次のようにすればよい。まず、補助光源の制御用のスイッチ２ｂを操作して補助光源４を点灯させる。そしてトイレに行くための明かりを補助光源４で確保すればよい。このとき補助光源４は、数ワット程度のＬＥＤ光源であり、手元を照明できる程度の光しか放出しないので、この光を必要としない他人に気づかれにくくなる。なお、補助光源４は、ベッド上やその周辺で、所望のものを捜したいときやラジオなどのボタンを操作したいときの明かりの確保としても使用することができる。
【００１２】
また、患者の看護・治療にあたる医療従事者が夜間にこれを使用するときも同様に扱えばよい。なお、補助光源４の光出力は、主光源が可変できる最低の光出力よりもさらに小さい光出力で点灯するので補助光源４の光出力では少ない場合は、状況に応じて主光源を点灯すればよい。このときリモコン１１の内部で補助光源４は、主光源が消灯している場合のみ点灯するように制御されるものとなっているので、主光源が点灯すると補助光源４は、消灯するものとなる。
【００１３】
この実施の形態によると、主光源とこの主光源を制御する制御回路７ａとを有した照明器具１０と、制御回路７ａに信号を送信するリモコン１１と、を備えた照明装置において、リモコン１１に暗所にて手元を照明できる光出力を有した補助光源４を設けたことにより、使用者はリモコンの位置を適宜移動させることにより、暗所でも手元が明るくできるものとなる。そして、この光は、暗所にて手元を照明できる程度のものであるので、これを必要としない他人にわかりにくくできるものとなる。
【００１４】
また、補助光源４は、主光源が消灯している場合のみ点灯するものとしたことにより、補助光源４は、主光源で光を確保できているときには点灯しないので、より有効にエネルギーを消費することができるものとなる。
【００１５】
主光源は、光出力を可変できるものであり、補助光源４は、主光源が可変できる最低の光出力よりもさらに小さい光出力で点灯するものとしたことにより、補助光源４と、主光源と、の使い分けが行いやすくできる。
【００１６】
次に、この実施の形態の応用例を説明する。図４は照明装置の斜視図、図５は照明装置の灯具部の断面図、図６は照明装置のブロック構成図である。このものは、図１〜図３を用いて説明した照明装置の照明器具の構成を変えたものである。図において、５は灯具部、７０は制御回路７ａを収納した制御回路部、１１はリモコンである。
【００１７】
照明器具５には、２本の蛍光灯で構成された主光源２０ａ、２０ｂが収容されている。ここで主光源２０ａは照明器具５の上方を照らすものであり、主光源２０ｂは照明器具５の下方を照らすものである。また、リモコン１１は、図２を用いて説明したものに加えて、主光源２０ａ、２０ｂの各々の点灯、消灯や明るさの調整ができるものとなっている。さらにこのものは、制御回路部７０と照明器具５とが電線で接続されており、リモコン１１からの信号は、この制御回路部７０で処理されるようになっている。
【００１８】
このものは主光源に光出力を小さく制御することが難しい蛍光灯を使用している。そして、夜間にこの蛍光灯を点灯させると、この光を必要としない人の目についてしまい、不快感を与えることが多くなる。よって、リモコンに暗所にて手元を照明できる補助光源４を設けたことがより有用なものとなる。その他の前記した一実施形態と同一の構成部材には、同一符号を付すことにより説明を省略する。
【００１９】
なお、前述したものでは、リモコン１１と照明器具１０とを赤外線で通信していたが、図７に示したように、この間をケーブルで接続したものであってもかまわない。そしてケーブルを通じて、リモコン１１は制御回路７ａに信号を伝達させるとともに補助光源４は自身を発光させる電源の供給を受けるものとすれば、補助光源４の出力をより大きなものとできる。なお、この場合、図２で示した送信部３側をケーブルの接続側とすれば、このケーブルを何かに引っ掛けることにより補助光源４の光は、おおむね下方を向いて照射されるので、夜間にこれを点灯させても光を必要としない人の目につきにくいものとなるとともにリモコン１１の所在がわかりやすくできるものとなる。
【００２０】
また、照明器具１０より主光源を制御する制御回路７ａが独立したものでもよく、例えば、
主光源とこれを点灯させる安定器とが照明器具に収納されており、安定器を制御する制御回路７ａを照明器具の外部から接続して照明制御ユニットとしてもよい。そして、この照明制御ユニットの制御回路７ａに信号を送信するリモコン１１に手元を照明できる補助光源４を設けても前記したものと同様の効果を得ることができるものとなる。
【図面の簡単な説明】
【００２１】
【図１】本発明の一実施形態に係る照明装置のブロック構成図である。
【図２】同上の照明装置のリモコンの斜視図である。
【図３】同上の照明装置の外観を示す斜視図である。
【図４】本発明の照明装置の応用例を示す図で、外観を示す斜視図である。
【図５】同上の照明装置の照明器具の断面図である。
【図６】同上の照明装置のブロック構成図である。
【図７】本発明の照明装置の他の応用例を示す図で、照明装置のブロック構成図である。
【図８】従来例に係る照明装置の図で、外観を示す斜視図である。
【符号の説明】
【００２２】
４    補助光源
１０  照明器具
１１  リモコン
【図１】
2005063742.tif 000003
【図２】
2005063742.tif 000004
【図３】
2005063742.tif 000005
【図４】
2005063742.tif 000006
【図５】
2005063742.tif 000007
【図６】
2005063742.tif 000008
【図７】
2005063742.tif 000009
【図８】
2005063742.tif 000010